【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
サンプルに対して実施されるプロセスの品質管理方法であって、前記方法が、
複数のキャピラリーを提供することと、
ポリマー溶液源を提供することと、
前記ポリマー溶液源に圧力を印加し、ポリマー溶液の少なくとも一部を前記キャピラリーの中に移動させることと、
前記圧力を印加しながら、圧力値を取得するために、圧力の検知値を示す少なくとも１つのパラメータを経時的に測定することと、
前記圧力値の少なくとも一部の分析を実施することと、
前記分析に基づいて動作を実施することと
を含む、方法。
【請求項２】
サンプルに対して実施されるプロセスの品質管理方法であって、前記方法が、
複数のキャピラリーを提供することと、
ポリマー溶液源を提供することと、
前記ポリマー溶液源に圧力を印加し、ポリマー溶液の少なくとも一部を前記キャピラリーの中に移動させることと、
前記圧力を印加しながら、圧力値を取得するために、圧力の検知値を示す少なくとも１つのパラメータを経時的に測定することと、
前記圧力値の少なくとも一部の分析を実施することと、
前記分析を使用して、サンプルに対するキャピラリー電気泳動の実行が進むべきかどうかを判断することと
を含む、方法。
【請求項３】
前記分析が、前記圧力値を表すトレース中のノイズレベルを判定することを含む、請求項１または２に記載の方法。
【請求項４】
前記分析が、前記圧力が印加されていた間に前記圧力値がしきい値を超えたままであったかどうかを判定することを含む、請求項１または２に記載の方法。
【請求項５】
サンプル溶液を前記複数のキャピラリーに提供することであって、前記サンプル溶液が１種以上の生体分子を含む、提供することと、
前記サンプル溶液が前記複数のキャピラリー中にある間、前記１種以上の生体分子を検出することと、
検出する間、電流トレースを判定するために、前記生体サンプルが電流によって移動している１つ以上のキャピラリーの電流を経時的に測定することと、
前記電流トレースの分析を実施することと、
前記分析に基づいて動作を実施することと
をさらに含む、請求項１または２に記載の方法。
【請求項６】
経時的に圧力を測定することが、複数の離散時間で圧力を測定することを含む、請求項１または２に記載の方法。
【請求項７】
経時的に電流を測定することが、複数の離散時間で電流を測定することを含む、請求項５に記載の方法。
【請求項８】
前記分析が、前記電流トレースにおける信号ノイズに対応するノイズ測定基準を判定することを含み、さらに、前記分析に基づいて動作を実施することが、前記ノイズ測定基準の値に基づいて動作を実施することを含む、請求項５に記載の方法。
【請求項９】
前記判断がはいである場合、次に前記キャピラリー電気泳動の実行を進めることと、
前記判断がいいえである場合、次に動作を実施し、前記動作が有効であったかどうかを判定することと、
前記動作が有効であると判断される場合、前記ポリマー溶液に圧力を印加するステップから前記方法を繰り返すことと
をさらに含む、請求項２〜８のいずれか一項に記載の方法。
【請求項１０】
前記動作を実施することが、
前記印加された圧力を維持すること、
フラグを設定すること、
警告信号を送信すること、
サービスコール信号を送信すること、
チェックカートリッジ信号を送信すること、
前記印加された圧力を下げること、
前記印加された圧力を上げること、
ポリマー溶液のリザーバと前記圧力を印加するように使用されたポンプとの間のバルブを閉鎖すること、
移動を中断すること、または
実行条件を変更すること
のうちの１つ以上を含む、請求項９に記載の方法。
【請求項１１】
サンプル分析システムであって、
ポリマーを装填する間であるが、サンプル装填および検出前に、１つ以上のシステムパラメータを検出するための第１の複数のセンサと、
サンプルの装填およびサンプルの検出のうちの少なくとも１つの間に、１つ以上のシステムパラメータを検出するための第２の複数のセンサと、
プロセッサと、
前記プロセッサに連結され、サンプル検出の終了前に、動作を実施するかどうかおよび前記分析に基づいてその動作を実施することを判定するために、前記第１の複数のセンサおよび前記第２の複数のセンサからのデータを分析する前記プロセッサを構成するためのコンピュータプログラム命令を含むメモリと
を備える、サンプル分析システム。
【請求項１２】
前記プロセッサが、請求項３〜１０のいずれか一項に記載の方法を実施するように適合されている、請求項１１に記載のサンプル分析システム。
【請求項１３】
色素標識サンプルについての色素データにおけるスペクトル誤差の自動補正のためのサンプル処理機器とともに使用するための方法であって、前記方法が、
前記サンプル処理機器を介して実行される、色素標識サンプルに対応する色素データを生成することであって、前記色素データが、第１の色素で標識された第１のサンプルに対応する第１の色素データ、および第２の色素で標識された第２のサンプルに対応する第２の色素データを少なくとも含み、前記第２の色素が前記第１の色素とは異なっている、生成することと、
第１の色素データのスペクトル誤差と相関する相関データを取得するために、少なくとも第１の色素データおよび第２の色素データの非微分値を使用することと、
前記相関データを使用して補正された色素データを生成するために、補正関数を適用することと
を含む、方法。
【請求項１４】
前記第１の色素データが、前記サンプル処理機器を通して前記色素標識サンプルを実行することから生成されたスペクトルデータに、既存の色素マトリックスを適用することにより取得される、請求項１３に記載の方法。
【請求項１５】
前記相関データがスペクトルクロストーク値を含み、前記補正関数が前記スペクトルクロストーク値の関数に基づいて前記既存の色素マトリックスを修正することを含む、請求項１４に記載の方法。
【請求項１６】
前記補正関数が、スキャン番号に基づいて変化し、
前記スキャン番号に基づく補正関数の変動が、色素スペクトル対スキャン番号の線形回帰から取得される一次線形変動項を含み、
前記スキャン番号に基づく補正関数の変動が、色素スペクトル対スキャン番号の線形回帰から取得される二次線形変動項をさらに含み、
少なくとも前記第１の色素データおよび前記第２の色素データの非微分値を使用することが、そのような非微分値を使用すること、ならびに少なくとも前記第１の色素データおよび前記第２の色素データの一次および／またはより高次の微分値を使用することも含む、請求項１３に記載の方法。
【手続補正２】
【補正対象書類名】明細書
【補正対象項目名】０００９
【補正方法】変更
【補正の内容】
【０００９】
本発明の主題の様々な他の態様は、添付の図面とともに以下の説明からより明らかになる。
本願明細書は、例えば、以下の項目も提供する。
（項目１）
サンプルに対して実施されるプロセスの品質管理方法であって、
複数のキャピラリーを提供することと、
ポリマー溶液源を提供することと、
前記ポリマー溶液源に圧力を印加し、ポリマー溶液の少なくとも一部を前記キャピラリーの中に移動させることと、
前記圧力を印加しながら、圧力値を取得するために、圧力の検知値を示す少なくとも１つのパラメータを経時的に測定することと、
前記圧力値の少なくとも一部の分析を実施することと、
前記分析に基づいて動作を実施することと、を含む、方法。
（項目２）
前記分析が、前記圧力値を表すトレース中のノイズレベルを判定することを含む、項目１に記載の方法。
（項目３）
前記分析が、前記圧力が印加されていた間に前記圧力値がしきい値を超えたままであったかどうかを判定することを含む、項目１に記載の方法。
（項目４）
サンプル溶液を前記複数のキャピラリーに提供することであって、前記サンプル溶液が１種以上の生体分子を含む、提供することと、
前記サンプル溶液が前記複数のキャピラリー中にある間、前記１種以上の生体分子を検出することと、
検出する間、電流トレースを判定するために、前記生体サンプルが電流によって移動している１つ以上のキャピラリーの電流を経時的に測定することと、
前記電流トレースの分析を実施することと、
前記分析に基づいて動作を実施することと、をさらに含む、項目１に記載の方法。
（項目５）
経時的に圧力を測定することが、複数の離散時間で圧力を測定することを含む、項目１に記載の方法。
（項目６）
経時的に電流を測定することが、複数の離散時間で電流を測定することを含む、項目４に記載の方法。
（項目７）
前記分析が、前記電流トレースにおける信号ノイズに対応するノイズ測定基準を判定することを含み、さらに、前記分析に基づいて動作を実施することが、前記ノイズ測定基準の値に基づいて動作を実施することを含む、項目４に記載の方法。
（項目８）
様々な長さの生体分子を含むサンプルを含む容器を提供することと、
前記サンプルの少なくとも一部を少なくとも１つのキャピラリーに移動させるために、ポンプを使用して、前記容器内に圧力を印加することと、
前記圧力の検知値を示す少なくとも１つのパラメータを測定することと、
前記測定されたパラメータの１つ以上の値に基づいて動作を実施することと、を含む、方法。
（項目９）
前記ポンプがシリンジである、項目８に記載の方法。
（項目１０）
前記動作を実施することが、
前記印加された圧力を維持すること、
フラグを設定すること、
警告信号を送信すること、
サービスコール信号を送信すること、
チェックカートリッジ信号を送信すること、
前記圧力を下げること、
前記圧力を上げること、
前記容器と前記ポンプとの間のバルブを閉鎖すること、
移動を中断すること、または
実行条件を変更すること、のうちの１つ以上を含む、項目１に記載の方法。
（項目１１）
前記動作を実施することが、
前記印加された圧力を維持すること、
フラグを設定すること、
警告信号を送信すること、
サービスコール信号を送信すること、
チェックカートリッジ信号を送信すること、
前記圧力を下げること、
前記圧力を上げること、
前記容器と前記ポンプとの間のバルブを閉鎖すること、
移動を中断すること、または
実行条件を変更すること、のうちの１つ以上を含む、項目８に記載の方法。
（項目１２）
前記実行条件の変更が、タイマーの調整、電流の調整、または電圧の調整、のうちの１つ以上を含む、項目１０または１１のいずれか一項に記載の方法。
（項目１３）
検出前または検出中に、少なくとも１つの温度を測定することをさらに含む、項目１〜９のいずれか一項に記載の方法。
（項目１４）
前記少なくとも１つの温度が、
ポリマー温度、
キャピラリー温度、
キャピラリー出口における気流温度、
キャピラリー入口における気流温度、
ヒートシンク温度、
キャピラリーヒーター温度、
バッファー温度、
スナウト温度、
機器の温度、および
レーザーヒートシンク温度、のうちの１つ以上を含む、項目１３に記載の方法。
（項目１５）
前記少なくとも１つのパラメータが、
ポリマーバルブ位置、
ポリマーバルブ圧力、
バッファーバルブ位置、
バッファーバルブ圧力、
シリンジ位置、および
シリンジ圧力、のうちの１つ以上を含む、項目８に記載の方法。
（項目１６）
１種以上の生体分子を含有するサンプルを提供することと、
前記サンプルについてプロセスまたはアッセイを実施することと、
前記プロセスまたはアッセイを実施している間に、検出ゾーン内の前記１種以上の生体分子を検出することと、
検出前または検出中に、前記プロセスまたはアッセイに関連する２つ以上のパラメータを測定することと、
前記２つ以上のパラメータの１つ以上の測定値に基づいて動作を実施することと、を含む方法であって、
前記２つ以上のパラメータが、前記プロセスまたはアッセイに関連する圧力の検知値を示すパラメータ、前記検出ゾーン内の少なくとも１つの生体分子のスペクトルの検知値を示すパラメータ、前記プロセスまたはアッセイに関連する温度の検知値を示すパラメータ、および前記少なくとも１種の生体分子を運ぶ媒体に関連する電流を示すパラメータのうちの２つ以上を含む、方法。
（項目１７）
前記２つ以上のパラメータのうちの少なくとも１つの測定値がオフスケール値の所定量内にある場合に、前記動作が実施される、項目１６に記載の方法。
（項目１８）
前記２つ以上のパラメータが、
ポリマー温度、
キャピラリー温度、
キャピラリー出口における気流温度、
キャピラリー入口における気流温度、
ヒートシンク温度、
キャピラリーヒーター温度、
バッファー温度、
スナウト温度、
機器の温度、および
レーザーヒートシンク温度、のうちの１つ以上を含む、項目１６に記載の方法。
（項目１９）
前記２つ以上のパラメータが、
ポリマーバルブ位置、
ポリマーバルブ圧力、
バッファーバルブ位置、
バッファーバルブ圧力、
シリンジ位置、および
シリンジ圧力、のうちの１つ以上を含む、項目１６に記載の方法。
（項目２０）
前記２つ以上のパラメータのうちの少なくとも１つのパラメータが、前記検出ゾーン内で前記１種以上の生体分子を検出する間または前記検出した後に生成される光信号を含む、項目１６に記載の方法。
（項目２１）
前記２つ以上のパラメータのうちの少なくとも１つに対応する１つ以上の値を含むデータ構造を提供することと、
検出中または検出した後に、更新されたデータ構造を提供するために、前記１つ以上の測定値に基づいて前記データ構造を修正することと、をさらに含み、
前記動作が前記更新されたデータ構造に基づく、項目１６に記載の方法。
（項目２２）
前記データ構造が色素マトリックスである、項目２１に記載の方法。
（項目２３）
前記サンプルが様々な長さの生体分子を含み、前記方法が、
前記サンプルを、第１の端部、第２の端部、および前記検出ゾーン内に位置する部分を含む少なくとも１つのキャピラリーに装填することと、
前記第１の端部に電気的に連結された第１の電極、および前記第２の端部に電気的に連結された第２の電極を提供することと、をさらに含み、
プロセスを実施することが、前記第１の電極と前記第２の電極との間に電位を生成することにより、前記サンプル中の前記生体分子を分離することを含む、項目１６に記載の方法。
（項目２４）
１つ以上の生体サンプル分子を含有するサンプル溶液を提供することと、
前記サンプル溶液に対してプロセスまたはアッセイを実施することと、
前記プロセスまたはアッセイを実施している間に、前記１種以上の生体分子を検出することと、
検出前または検出中に、第１のシステムパラメータを測定することと、
検出前または検出中に、第２のシステムパラメータを測定することと、
前記第１のシステムパラメータおよび前記第２のシステムパラメータのうちの少なくとも一方の少なくともいくつかの測定値の分析を実施することと、
検出前または検出中に、前記分析に基づいて動作を実施することと、を含む、方法。
（項目２５）
前記サンプル溶液が、様々な長さの１種以上の生体分子を含み、前記方法が、
前記サンプル溶液を、検出ゾーンを含む前記少なくとも１つのキャピラリーに装填することと、
第１の電極と第２の電極との間に電位を生成することにより、前記少なくとも１つのキャピラリー内の前記生体分子を分離することを含むプロセスを実施することと、
前記検出ゾーン内の少なくとも１種の生体分子を照射することにより生成される第１の光信号を測定することと、
前記少なくとも１種の生体分子が前記検出ゾーンにないときに、前記検出ゾーンを照射することにより生成される第２の光信号を測定することと、
前記第１の光信号に対応する信号対ノイズ比を判定するために、少なくとも前記第１の光信号および前記第２の光信号を使用することと、
検出中、前記信号対ノイズ比に基づいてプロセスパラメータの値を変更することと、をさらに含む、項目２４記載の方法。
（項目２６）
サンプル溶液が、様々な長さの１種以上の生体分子を含み、前記方法が、
前記サンプル溶液を、少なくとも１つのキャピラリーに装填することであって、前記少なくとも１つのキャピラリーが検出ゾーンを含む、装填することと、
第１の電極と第２の電極との間に電位を生成することにより、前記少なくとも１つのキャピラリー内の前記生体分子を分離することを含むプロセスを実施することと、
前記少なくとも１つのキャピラリーを通る電流を測定することと、をさらに含む、項目２４記載の方法。
（項目２７）
複数の測定にわたり、前記少なくとも１つのキャピラリーを通る電流が所定のパターンに一致するかどうかを判定することと、
判定の結果に基づいて動作を実施することと、をさらに含む、項目２６に記載の方法。
（項目２８）
検出する間、電流トレースを判定するために、前記少なくとも１つのキャピラリーの電流を経時的に測定することと、
前記電流トレースの分析を実施することと、
前記分析に基づいて動作を実施することと、をさらに含む、項目２６記載の方法。
（項目２９）
前記分析が、前記電流トレースにおける信号ノイズに対応するノイズ測定基準を判定することを含み、さらに、前記分析に基づいて動作を実施することが、前記ノイズ測定基準の値に基づいて動作を実施することを含む、項目２８に記載の方法。
（項目３０）
前記第１のシステムパラメータが圧力を含み、前記第２のシステムパラメータが温度を含む、項目２４に記載の方法。
（項目３１）
温度パラメータが、
ポリマー温度、
キャピラリー温度、
キャピラリー出口における気流温度、
キャピラリー入口における気流温度、
ヒートシンク温度、
キャピラリーヒーター温度、
バッファー温度、
スナウト温度、
機器の温度、および
レーザーヒートシンク温度、のうちの１つ以上を含む、項目３０に記載の方法。
（項目３２）
前記動作が、
警告または条件フラグを設定または送信すること、
警告信号を送信すること、
再サービス信号を送信すること、
実行品質測定基準を提供すること、
色素マトリックス成分を変更すること、
注入パラメータを変更すること、
プロセス呼び出しパラメータを設定すること、
ポストラン分析または補正測定基準を設定または修正すること、
前記プロセスを停止すること、
所定の期間、前記プロセスを一時停止すること、
前記プロセスの状態が所定の量だけ変化するまで前記プロセスを一時停止すること、
１つ以上のキャピラリーをフラッシュすること、
前記プロセスの品質についてユーザーに通知すること、
前記少なくとも２つのパラメータのうちの１つ以上の値を記録することであって、前期値が検出中に記録された分光データを補正または修正するのに適している、記録すること、
チェックカートリッジ信号を送信すること、および
実行条件または実行測定基準を変更すること、のうちの少なくとも１つを含む、項目１６〜３１のいずれか一項に記載の方法。
（項目３３）
前記実行条件または実行測定基準を変更することが、タイマーを調整すること、電流を調整すること、電圧を調整すること、または色素マトリックスの値を変更すること、のうちの１つ以上を含む、項目３２に記載の方法。
（項目３４）
前記動作を実施することは、前記プロセス中の複数の異なる時間、所定の範囲外にある値を有するパラメータに基づく、項目２４に記載の方法。
（項目３５）
前記実行条件または前記実行測定基準を変更することが、タイマー、電流、電圧、システムコンポーネントの温度、または前記サンプルの温度のうちの１つ以上を調整することを含む、項目３２に記載の方法。
（項目３６）
前記方法が、機器によって実施された以前のプロセスの履歴データを含む前記機器を使用して実施され、前記動作が、前記測定された１つ以上の値に基づいて前記データベースを修正することを含む、項目１６〜３１のいずれか一項に記載の方法。
（項目３７）
ポリマーを装填する間であるが、サンプル装填および検出前に、１つ以上のシステムパラメータを検出するための第１の複数のセンサと、
サンプルの装填およびサンプルの検出のうちの少なくとも１つの間に、１つ以上のシステムパラメータを検出するための第２の複数のセンサと、
プロセッサと、
前記プロセッサに連結され、サンプル検出の終了前に、動作を実施するかどうかおよび前記分析に基づいてその動作を実施することを判定するために、前記第１の複数のセンサおよび前記第２の複数のセンサからのデータを分析する前記プロセッサを構成するためのコンピュータプログラム命令を含むメモリと、を備える、サンプル分析システム。
（項目３８）
色素標識サンプルの分析に使用するためのシステムであって、
サンプル処理機器と、
プロセッサと、
上記項目１〜３６のいずれか一項において参照される分析ステップを実行するための命令がエンコードされたメモリと、を備える、システム。
（項目３９）
色素標識サンプルの分析に使用するためのシステムであって、
サンプル分離機器と、
プロセッサと、
上記項目１〜３６のいずれか一項において参照される分析ステップを実行するための命令がエンコードされたメモリと、を備える、システム。
（項目４０）
色素標識サンプルの分析に使用するためのシステムであって、
複数のキャピラリーを備える、キャピラリー電気泳動機器と、
プロセッサと、
上記項目１〜３６のいずれか一項において参照される分析ステップを実行するための命令がエンコードされたメモリと、を備える、システム。
（項目４１）
色素標識サンプルについての色素データにおけるスペクトル誤差の自動補正のためのサンプル処理機器とともに使用するための方法であって、
前記サンプル処理機器を介して実行される、色素標識サンプルに対応する色素データを生成することであって、前記色素データが、第１の色素で標識された第１のサンプルに対応する第１の色素データ、および第２の色素で標識された第２のサンプルに対応する第２の色素データを少なくとも含み、前記第２の色素が前記第１の色素とは異なっている、生成することと、
第１の色素データのスペクトル誤差と相関する相関データを取得するために、少なくとも第１の色素データおよび第２の色素データの非微分値を使用することと、
前記相関データを使用して補正された色素データを生成するために、補正関数を適用することと、を含む、方法。
（項目４２）
前記補正された色素データのスペクトル誤差の測定値を取得することをさらに含む、項目４１に記載の方法。
（項目４３）
前記補正された色素データのスペクトル誤差が、しきい値量だけ前記第１の色素データのスペクトル誤差より低いかどうかを判定することをさらに含む、項目４２に記載の方法。
（項目４４）
前記補正された色素データの前記スペクトル誤差が、前記しきい値量だけ前記第１の色素データのスペクトル誤差より低くはない場合、前記補正関数を調整するまたは破棄することをさらに含む、項目４３に記載の方法。
（項目４５）
前記補正された色素データのスペクトル誤差の前記測定値が、前記補正された色素データのスペクトル誤差と相関する第２の相関データを識別することにより取得される、項目４２に記載の方法。
（項目４６）
さらに補正された色素データを取得するように、補正関数を前記色素データに適用するために前記第２の相関データを使用することをさらに含む、項目４５に記載の方法。
（項目４７）
前記さらに補正された色素データが、スペクトル誤差を低減するための特定の性能要件を満たすかどうかを判定することをさらに含む、項目４６に記載の方法。
（項目４８）
前記相関データが、前記色素標識サンプルを標識するために使用された色素セットに含まれる２つの色素間のクロストーク値を含む、項目４１に記載の方法。
（項目４９）
前記相関データが線形回帰データを含む、項目４１に記載の方法。
（項目５０）
前記線形回帰データが、前記第２の色素標識サンプルの蛍光に対してプロットされた前記第１の色素標識サンプルの蛍光を含むクロスプロットデータの線形回帰分析を実施することにより取得される、項目４９に記載の方法。
（項目５１）
前記第１の色素データが、前記サンプル処理機器を通して前記色素標識サンプルを実行することから生成されたスペクトルデータに、既存の色素マトリックスを適用することにより取得される、項目４１に記載の方法。
（項目５２）
前記相関データがスペクトルクロストーク値を含み、前記補正関数が前記スペクトルクロストーク値の関数に基づいて前記既存の色素マトリックスを修正することを含む、項目５１に記載の方法。
（項目５３）
前記補正関数が、候補最適化色素マトリックスを取得するために、前記既存の色素マトリックスの値に前記スペクトルクロストーク値もしくはそれらの値の一部を加算するか、または、前記既存の色素マトリックスの値から、前記スペクトルクロストーク値もしくはそれらの値の一部を減算することと、前記補正された色素データを取得するために、前記候補最適化色素マトリックスを使用することと、を含む、項目５２に記載の方法。
（項目５４）
前記補正関数を適用することが、既存の色素マトリックスに対する変化の少なくとも一部を判定するために、ランダム化関数を実行することを含む、項目５１に記載の方法。
（項目５５）
前記補正関数を適用することが、前記スペクトルクロストーク値およびスペクトルクロストーク標準誤差値のうちの１つ以上の関数に基づき、かつランダム化関数を実行することに部分的に基づいて、前記既存の色素マトリックスを修正することを含む、項目５２に記載の方法。
（項目５６）
第１の相関値が、前記色素標識サンプルを標識するために使用された色素セットにおける第１の色素および第２の色素のスペクトルデータを含む、項目４１に記載の方法。
（項目５７）
前記補正関数が、前記第１の色素および第２の色素のうちの１つについてのスペクトラデータの正または負の分数を、前記第１の色素および前記第２の色素の別のものからのスペクトルデータに加えることを含む、項目５６に記載の方法。
（項目５８）
前記補正関数が、スキャン番号に基づいて変化する、項目４１に記載の方法。
（項目５９）
前記スキャン番号に基づく補正関数の変動が、色素スペクトル対スキャン番号の線形回帰から取得される一次線形変動項を含む、項目５８に記載の方法。
（項目６０）
前記スキャン番号に基づく補正関数の変動が、色素スペクトル対スキャン番号の線形回帰から取得される二次線形変動項をさらに含む、項目５９に記載の方法。
（項目６１）
少なくとも前記第１の色素データおよび前記第２の色素データの非微分値を使用することが、そのような非微分値を使用すること、ならびに少なくとも前記第１の色素データおよび前記第２の色素データの一次および／またはより高次の微分値を使用することも含む、項目６１に記載の方法。
（項目６２）
サンプル処理機器によって処理された色素標識サンプルにおける特定の色素の存在の識別に使用する方法であって、前記方法が、前記サンプル処理機器の実行期間中に、
スペクトルデータを生成するために光検出器を使用することであって、前記スペクトルデータが、光源から前記光検出器までの光路内の色素標識サンプルにおいて経時的に実行された複数の光検出器スキャンのそれぞれについて、様々なスペクトルにおける強度測定に対応する、使用することと、
最適化色素マトリックス（ＯＤＭ）を判定するように構成されたプロセッサに前記スペクトルデータを受信することと、
実行期間中、前記サンプル処理機器を、少なくとも、
色素データを生成するために、候補最適化色素マトリックス（ＣＯＤＭ）および前記スペクトルデータを使用すること、
前記色素標識サンプルの色素間のスペクトルクロストークに対応するスペクトルクロストーク値を判定するために、前記色素データを使用すること、および
ＯＤＭを判定するために、前記スペクトルクロストーク値および前記ＣＯＤＭを使用すること、によって較正または再較正するために、前記プロセッサを使用することと、を含む、方法。
（項目６３）
前記ＣＯＤＭが既存の色素マトリックスである、項目６２に記載の方法。
（項目６４）
前記ＣＯＤＭが第１のＣＯＤＭであり、前記実施形態が、
第２のＣＯＤＭを生成することをさらに含む処理を実施するように構成されている、項目６２に記載の方法。
（項目６５）
色素データを生成するために、前記第２のＣＯＤＭおよび前記スペクトルデータを使用することと、
前記第１のＣＯＤＭを使用して生成された色素データが、前記第２のＣＯＤＭを使用して生成された色素データよりもスペクトル誤差が少ないかどうかを判定することと、をさらに含む、項目６４に記載の方法。
（項目６６）
複数の蛍光種のうちのある蛍光種で標識された複数のサンプルを処理するサンプル処理機器において、スペクトル誤差の低減に使用するための方法であって、前記複数のサンプルが、第１の蛍光種で標識された第１のサンプルおよび第２の蛍光種で標識された第２のサンプルを少なくとも含み、前記方法が、
前記サンプルの蛍光種を、励起源を用いて励起することと、
得られる蛍光を、光学システムを用いて検出することと、
少なくとも２つの異なる蛍光種の蛍光データから前記スペクトル誤差を判定することと、
補正関数のパラメータ値を判定することと、
前記誤差を低減するために、前記蛍光に前記補正関数を適用することと、を含む、方法。
（項目６７）
前記蛍光をモデルに対して比較することを含む、処理を実施するために構成されている、項目６６に記載の方法。
（項目６８）
サンプル処理機器によって処理されたサンプルの分析されたトレースからスペクトル誤差の除去に使用するための方法であって、前記複数のサンプルの各々が、複数の蛍光種のうちのある蛍光種で標識され、前記複数のサンプルが、少なくとも第１の蛍光種で標識された第１のサンプル、および第２の蛍光種で標識された第２のサンプルを含み、前記方法が、
励起源を用いて前記蛍光種を励起することと、
光学システムを用いて蛍光を検出することと、
前記第１の色素および前記第２の色素に対応する蛍光データを使用して、前記蛍光種間の前記スペクトル誤差を推定することと、を含む、方法。
（項目６９）
蛍光種で標識されたサンプルを処理するサンプル処理機器において、蛍光種を使用する核酸検出に使用するための方法であって、前記方法が、
励起源を用いて蛍光種を励起することと、
光学システムを用いて蛍光を検出することと、
各蛍光種のスペクトル表示において前記蛍光種間の誤差を判定することと、を含む、方法。
（項目７０）
前記処理が、前記サンプル処理機器のサンプル実行操作期間中に実行される、項目４１に記載の方法。
（項目７１）
前記処理が、前記サンプル処理機器のサンプル実行操作間で実行される、項目４１に記載の方法。
（項目７２）
前記サンプル処理機器がサンプル分離機器を含む、項目４１〜７１のいずれか一項に記載の方法。
（項目７３）
前記サンプル処理機器が、
キャピラリー電気泳動機器、
ＣＥ−ＳＤＳ機器、
ポリメラーゼ連鎖反応（ＰＣＲ）機器、
リアルタイムＰＣＲ機器、
デジタルＰＣＲ機器、
サンガーシーケンシング機器、
パイロシーケンシング機器、
ライゲーションによるシーケンシング用に構成された機器、
次世代シーケンシング（ＮＧＳ）機器、
シーケンシング機器、
質量分析機器、
フローサイトメトリー機器、
ゲル電気泳動機器、
分光測光機器、または
蛍光分光機器、のうちの少なくとも１つを含む、項目４１〜７１のいずれか一項に記載の方法。
（項目７４）
前記色素標識サンプルが、
核酸分子、
ＤＮＡ分子、
ＲＮＡ分子、
タンパク質分子、
細胞分子、または
糖分子、のうちの少なくとも１つを含む、項目４１〜７１のいずれか一項に記載の方法。